(57)【要約】【課題】１つの駆動源で２つの可動演出部材を互いに異なる軸方向又は異なる軸回りに移動させて従来より趣向性を向上させることが可能な遊技機を提供する。【解決手段】本発明のパチンコ遊技機１０は、遊技板１１に対して回動可能に設けられて第１位置と第２位置との間を回動するメイン可動演出部材５１と、メイン可動演出部材５１に回動可能に設けられてＡ位置とＢ位置との間を回動するサブ可動演出部材５２とをケース４７に収容して備えている。そして、ケース４７には、メイン可動演出部材５１がサブ可動演出部材５２と共に第１位置から第２位置に向かう回動動作の過程で、サブ可動演出部材５２に備えたガイド当接部５４，５４に当接してサブ可動演出部材５２をＡ位置からＢ位置に回動させる待受ガイド４５Ｇ，４６Ｇが形成されている。【選択図】図４
2010075617.tif 000002
【特許請求の範囲】
【請求項１】
遊技機本体に対して回動可能に設けられて、前記遊技本体を基準とした第１位置と第２位置との間を回動することで遊技を演出するメイン可動演出部材と、
前記メイン可動演出部材のうち前記遊技本体との回動中心から離れた位置に回動可能に連結され、前記メイン可動演出部材を基準としたＡ位置とＢ位置との間を回動することで遊技を演出するサブ可動演出部材と、
前記メイン可動演出部材を前記第１位置と前記第２位置との間で回動させるための駆動源である駆動装置と、
前記サブ可動演出部材を前記Ａ位置に付勢する付勢手段と、
前記遊技機本体に設けられて、前記メイン可動演出部材が前記サブ可動演出部材と共に前記第１位置から前記第２位置に向かう回動動作の過程で、前記サブ可動演出部材に備えたガイド当接部に当接して前記サブ可動演出部材を前記Ａ位置から前記Ｂ位置に回動させる待受ガイドとを備えたことを特徴とする遊技機。
【請求項２】
遊技機本体に対して回動可能に設けられて、前記遊技本体を基準とした第１位置と第２位置との間を回動することで遊技を演出するメイン可動演出部材と、
前記メイン可動演出部材のうち前記遊技本体との回動中心から離れた位置に回動可能に連結され、前記メイン可動演出部材を基準としたＡ位置とＢ位置との間を回動することで遊技を演出するサブ可動演出部材と、
前記メイン可動演出部材を前記第１位置と前記第２位置との間で回動させるための駆動源である駆動装置と、
前記遊技機本体に設けられて、前記メイン可動演出部材が前記第１位置から前記第２位置に向かう回動動作の過程で、前記サブ可動演出部材に備えたガイド当接部に当接して前記サブ可動演出部材を前記Ａ位置から前記Ｂ位置に回動させる待受ガイドと、
前記遊技機本体に設けられて、前記メイン可動演出部材が前記第２位置から前記第１位置に向かう回動動作の過程で、前記ガイド当接部に当接して前記サブ可動演出部材を前記Ｂ位置から前記Ａ位置に回動させる復帰ガイドとを備えたことを特徴とする遊技機。
【請求項３】
前記メイン可動演出部材及び前記サブ可動演出部材は、共に遊技者との対向方向と平行な回動軸回りに回動するように配置され、
前記第１位置に配置された前記メイン可動演出部材と前記Ａ位置に配置されたサブ可動演出部材とを前記遊技者側から覆う前面カバーを、前記遊技機本体に固定して設け、
前記メイン可動演出部材は、前記第１位置から前記第２位置に回動する途中で、前記前面カバーから出現し、
前記サブ可動演出部材は、前記メイン可動演出部材と共に前記前面カバーから出現すると共に、前記サブ可動演出部材の一部が出現してから前記待受ガイドと前記ガイド当接部とが当接して、前記サブ可動演出部材が前記メイン可動演出部材の回動方向と異なる方向の前記Ａ位置から前記Ｂ位置に回動することを特徴とする請求項１又は２に記載の遊技機。
【請求項４】
前記待受ガイドは、前記前面カバーに一体形成されたことを特徴とする請求項３に記載の遊技機。
【請求項５】
前記待受ガイドは、前記前面カバーのうち前記サブ可動演出部材が出現する側の縁部に沿って延びかつ前記サブ可動演出部材側に突出した突条構造をなし、
前記ガイド当接部は、前記サブ可動演出部材から前面カバー側に突出していることを特徴とする請求項４に記載の遊技機。
【請求項６】
前記メイン可動演出部材及び前記サブ可動演出部材が出没するための出没開口を有すると共に、前記メイン可動演出部材と前記サブ可動演出部材と前記駆動装置とを収容可能なケースを設け、
前記ケースを前記遊技者と対向する前後方向で１対のケース構成体に分割し、それらのうち前側のケース構成体を前記前面カバーにしたことを特徴とする請求項３乃至５の何れかに記載の遊技機。
【請求項７】
前記サブ可動演出部材に設けられて、前記サブ可動演出部材のうち前記メイン可動演出部材が前記第２位置に向かう回動方向の後側に向かって突出しかつ透明部材で構成された延長突部を設け、前記ガイド当接部は前記延長突部の先端部に配置されて前記待受ガイド側に突出したことを特徴とする請求項３乃至６の何れかに記載の遊技機。
【請求項８】
前記待受ガイドを対にして前記サブ可動演出部材を間に挟んだ両側に配置すると共に、前記ガイド当接部を前記待受ガイドに合わせて対にして前記サブ可動演出部材の両側方に突出させたことを特徴とする請求項１乃至７の何れかに記載の遊技機。
【請求項９】
前記サブ可動演出部材の前記メイン可動演出部材に対する回動中心は、前記サブ可動演出部材のうち前記メイン可動演出部材が前記第２位置に向かう回動方向の後端側に配置され、
前記サブ可動演出部材は、前記Ａ位置に配置されると前記メイン可動演出部材の先端面を覆い、前記待受ガイドと前記ガイド当接部とが当接した後でさらに前記メイン可動演出部材が前記第２位置に向かって回動すると、その回動方向と逆向きに回動して前記メイン可動演出部材の先端面から離れることを特徴とする請求項１乃至８の何れかに記載の遊技機。
【請求項１０】
前記メイン可動演出部材及び前記サブ可動演出部材は、前記サブ可動演出部材を蓋にしたライターを模した形状になっていることを特徴とする請求項９に記載の遊技機。
【請求項１１】
前記メイン可動演出部材のうち前記サブ可動演出部材によって覆われる部分に発光手段を設けたことを特徴とする請求項９又は１０に記載の遊技機。
【請求項１２】
遊技機本体に１つの軸方向又は１つの軸回りに移動可能に拘束され、前記遊技本体を基準とした第１位置と第２位置との間を移動することで遊技を演出するメイン可動演出部材と、
前記メイン可動演出部材の移動と異なる１つの軸方向又は軸回りに移動可能に前記メイン可動演出部材に拘束され、前記メイン可動演出部材を基準としたＡ位置とＢ位置との間を移動することで遊技を演出するサブ可動演出部材と、
前記メイン可動演出部材を前記第１位置と前記第２位置との間で移動させるための駆動源である１自由度駆動装置と、
前記サブ可動演出部材を前記Ａ位置に付勢する付勢手段と、
前記遊技機本体に設けられて、前記メイン可動演出部材が前記サブ可動演出部材と共に前記第１位置から前記第２位置に向かう移動の過程で、前記サブ可動演出部材に備えたガイド当接部に当接して前記サブ可動演出部材を前記Ａ位置から前記Ｂ位置に移動する待受ガイドとを備えたことを特徴とする遊技機。
【請求項１３】
遊技機本体に１つの軸方向又は軸回りに移動可能に拘束され、前記遊技本体を基準とした第１位置と第２位置との間を移動することで遊技を演出するメイン可動演出部材と、
前記メイン可動演出部材の移動と異なる１つの軸方向又は軸回りに移動可能に前記メイン可動演出部材に拘束され、前記メイン可動演出部材を基準としたＡ位置とＢ位置との間を移動することで遊技を演出するサブ可動演出部材と、
前記メイン可動演出部材を前記第１位置と前記第２位置との間で移動させるための駆動源である１自由度駆動装置と、
前記遊技機本体に設けられて、前記メイン可動演出部材が前記第１位置から前記第２位置に向かう移動の過程で、前記サブ可動演出部材に備えたガイド当接部に当接して前記サブ可動演出部材を前記Ａ位置から前記Ｂ位置に移動する待受ガイドと、
前記遊技機本体に設けられて、前記メイン可動演出部材が前記第２位置から前記第１位置に向かう移動の過程で、前記ガイド当接部に当接して前記サブ可動演出部材を前記Ｂ位置から前記Ａ位置に移動する復帰ガイドとを備えたことを特徴とする遊技機。
【請求項１４】
前記メイン可動演出部材及び前記サブ可動演出部材の移動可能方向は、共に遊技者との対向方向と直交する２次元平面に収まるように配置され、
前記第１位置に配置された前記メイン可動演出部材と前記Ａ位置に配置されたサブ可動演出部材とを前記遊技者側から覆う前面カバーを、前記遊技機本体に固定して設け、
前記メイン可動演出部材は、前記第１位置から前記第２位置に移動する途中で、前記前面カバーから出現し、
前記サブ可動演出部材は、前記メイン可動演出部材と共に前記前面カバーから出現すると共に、前記サブ可動演出部材の一部が出現してから前記待受ガイドと前記ガイド当接部とが当接して前記サブ可動演出部材が前記Ａ位置から前記Ｂ位置に移動することを特徴とする請求項１２又は１３に記載の遊技機。
【発明の詳細な説明】
【技術分野】
【０００１】
本発明は、遊技機本体に対して可動演出部材を移動することで遊技を演出することが可能な遊技機に関する。
【背景技術】
【０００２】
従来、この種の遊技機として、遊技に関連した形状（例えば、バットの形状）の可動演出部材をモータで回動させ遊技の演出を行うものが知られている（例えば、特許文献１参照）。
【特許文献１】特開２００８−１０４６３７号公報（第１４図、第１５図）
【発明の開示】
【発明が解決しようとする課題】
【０００３】
ところで、上記した従来の遊技機では、単に可動演出部材を往復回動させるだけであるので、演出が単調になり趣向性が乏しかった。しかしながら、従来の遊技機に備えた可動演出部材の駆動機構を単に２つに増やして趣向性を向上させようとすると、モータが２つ必要になってコストがかかると共に、２つの可動演出部材に互いに関連付けた動作を行わせようとした場合には、制御が煩雑になる。
【０００４】
本発明は、上記事情に鑑みてなされたもので、１つの駆動源で２つの可動演出部材を互いに異なる軸方向又は異なる軸回りに移動させて従来より趣向性を向上させることが可能な遊技機の提供を目的とする。
【課題を解決するための手段】
【０００５】
上記目的を達成するためになされた請求項１の発明に係る遊技機は、遊技機本体に対して回動可能に設けられて、遊技本体を基準とした第１位置と第２位置との間を回動することで遊技を演出するメイン可動演出部材と、メイン可動演出部材のうち遊技本体との回動中心から離れた位置に回動可能に連結され、メイン可動演出部材を基準としたＡ位置とＢ位置との間を回動することで遊技を演出するサブ可動演出部材と、メイン可動演出部材を第１位置と第２位置との間で回動させるための駆動源である駆動装置と、サブ可動演出部材をＡ位置に付勢する付勢手段と、遊技機本体に設けられて、メイン可動演出部材がサブ可動演出部材と共に第１位置から第２位置に向かう回動動作の過程で、サブ可動演出部材に備えたガイド当接部に当接してサブ可動演出部材をＡ位置からＢ位置に回動させる待受ガイドとを備えたところに特徴を有する。
【０００６】
請求項２の発明に係る遊技機は、遊技機本体に対して回動可能に設けられて、遊技本体を基準とした第１位置と第２位置との間を回動することで遊技を演出するメイン可動演出部材と、メイン可動演出部材のうち遊技本体との回動中心から離れた位置に回動可能に連結され、メイン可動演出部材を基準としたＡ位置とＢ位置との間を回動することで遊技を演出するサブ可動演出部材と、メイン可動演出部材を第１位置と第２位置との間で回動させるための駆動源である駆動装置と、遊技機本体に設けられて、メイン可動演出部材が第１位置から第２位置に向かう回動動作の過程で、サブ可動演出部材に備えたガイド当接部に当接してサブ可動演出部材をＡ位置からＢ位置に回動させる待受ガイドと、遊技機本体に設けられて、メイン可動演出部材が第２位置から第１位置に向かう回動動作の過程で、ガイド当接部に当接してサブ可動演出部材をＢ位置からＡ位置に回動させる復帰ガイドとを備えたところに特徴を有する。
【０００７】
請求項３の発明は、請求項１又は２に記載の遊技機において、メイン可動演出部材及びサブ可動演出部材は、共に遊技者との対向方向と平行な回動軸回りに回動するように配置され、第１位置に配置されたメイン可動演出部材とＡ位置に配置されたサブ可動演出部材とを遊技者側から覆う前面カバーを、遊技機本体に固定して設け、メイン可動演出部材は、第１位置から第２位置に回動する途中で、前面カバーから出現し、サブ可動演出部材は、メイン可動演出部材と共に前面カバーから出現すると共に、サブ可動演出部材の一部が出現してから待受ガイドとガイド当接部とが当接して、サブ可動演出部材がメイン可動演出部材の回動方向と異なる方向のＡ位置からＢ位置に回動するところに特徴を有する。
【０００８】
請求項４の発明は、請求項３に記載の遊技機において、待受ガイドは、前面カバーに一体形成されたところに特徴を有する。
【０００９】
請求項５の発明は、請求項４に記載の遊技機において、待受ガイドは、前面カバーのうちサブ可動演出部材が出現する側の縁部に沿って延びかつサブ可動演出部材側に突出した突条構造をなし、ガイド当接部は、サブ可動演出部材から前面カバー側に突出しているところに特徴を有する。
【００１０】
請求項６の発明は、請求項３乃至５の何れかに記載の遊技機において、メイン可動演出部材及びサブ可動演出部材が出没するための出没開口を有すると共に、メイン可動演出部材とサブ可動演出部材と駆動装置とを収容可能なケースを設け、ケースを遊技者と対向する前後方向で１対のケース構成体に分割し、それらのうち前側のケース構成体を前面カバーにしたところに特徴を有する。
【００１１】
請求項７の発明は、請求項３乃至６の何れかに記載の遊技機において、サブ可動演出部材に設けられて、サブ可動演出部材のうちメイン可動演出部材が第２位置に向かう回動方向の後側に向かって突出しかつ透明部材で構成された延長突部を設け、ガイド当接部は延長突部の先端部に配置されて待受ガイド側に突出したところに特徴を有する。
【００１２】
請求項８の発明は、請求項１乃至７の何れかに記載の遊技機において、待受ガイドを対にしてサブ可動演出部材を間に挟んだ両側に配置すると共に、ガイド当接部を待受ガイドに合わせて対にしてサブ可動演出部材の両側方に突出させたところに特徴を有する。
【００１３】
請求項９の発明は、請求項１乃至８の何れかに記載の遊技機において、サブ可動演出部材のメイン可動演出部材に対する回動中心は、サブ可動演出部材のうちメイン可動演出部材が第２位置に向かう回動方向の後端側に配置され、サブ可動演出部材は、Ａ位置に配置されるとメイン可動演出部材の先端面を覆い、待受ガイドとガイド当接部とが当接した後でさらにメイン可動演出部材が第２位置に向かって回動すると、その回動方向と逆向きに回動してメイン可動演出部材の先端面から離れるところに特徴を有する。
【００１４】
請求項１０の発明は、請求項９に記載の遊技機において、メイン可動演出部材及びサブ可動演出部材は、サブ可動演出部材を蓋にしたライターを模した形状になっているところに特徴を有する。
【００１５】
請求項１１の発明は、請求項９又は１０に記載の遊技機において、メイン可動演出部材のうちサブ可動演出部材によって覆われる部分には発光手段を設けたところに特徴を有する。
【００１６】
請求項１２の発明に係る遊技機は、遊技機本体に１つの軸方向又は１つの軸回りに移動可能に拘束され、遊技本体を基準とした第１位置と第２位置との間を移動することで遊技を演出するメイン可動演出部材と、メイン可動演出部材の移動と異なる１つの軸方向又は軸回りに移動可能にメイン可動演出部材に拘束され、メイン可動演出部材を基準としたＡ位置とＢ位置との間を移動することで遊技を演出するサブ可動演出部材と、メイン可動演出部材を第１位置と第２位置との間で移動させるための駆動源である１自由度駆動装置と、サブ可動演出部材をＡ位置に付勢する付勢手段と、遊技機本体に設けられて、メイン可動演出部材がサブ可動演出部材と共に第１位置から第２位置に向かう移動の過程で、サブ可動演出部材に備えたガイド当接部に当接してサブ可動演出部材をＡ位置からＢ位置に移動する待受ガイドとを備えたところに特徴を有する。
【００１７】
請求項１３の発明に係る遊技機は、遊技機本体に１つの軸方向又は軸回りに移動可能に拘束され、遊技本体を基準とした第１位置と第２位置との間を移動することで遊技を演出するメイン可動演出部材と、メイン可動演出部材の移動と異なる１つの軸方向又は軸回りに移動可能にメイン可動演出部材に拘束され、メイン可動演出部材を基準としたＡ位置とＢ位置との間を移動することで遊技を演出するサブ可動演出部材と、メイン可動演出部材を第１位置と第２位置との間で移動させるための駆動源である１自由度駆動装置と、遊技機本体に設けられて、メイン可動演出部材が第１位置から第２位置に向かう移動の過程で、サブ可動演出部材に備えたガイド当接部に当接してサブ可動演出部材をＡ位置からＢ位置に移動する待受ガイドと、遊技機本体に設けられて、メイン可動演出部材が第２位置から第１位置に向かう移動の過程で、ガイド当接部に当接してサブ可動演出部材をＢ位置からＡ位置に移動する復帰ガイドとを備えたところに特徴を有する。
【００１８】
請求項１４の発明は、請求項１２又は１３に記載の遊技機において、メイン可動演出部材及びサブ可動演出部材の移動可能方向は、共に遊技者との対向方向と直交する２次元平面に収まるように配置され、第１位置に配置されたメイン可動演出部材とＡ位置に配置されたサブ可動演出部材とを遊技者側から覆う前面カバーを、遊技機本体に固定して設け、メイン可動演出部材は、第１位置から第２位置に移動する途中で、前面カバーから出現し、サブ可動演出部材は、メイン可動演出部材と共に前面カバーから出現すると共に、サブ可動演出部材の一部が出現してから待受ガイドとガイド当接部とが当接してサブ可動演出部材がＡ位置からＢ位置に移動するところに特徴を有する。
【００１９】
なお、本発明において「遊技機本体」とは、遊技機のうちその遊技機の設置場所に対して遊技の実行中は動かない部分全体をいう。
【発明の効果】
【００２０】
［請求項１及び２の発明］
請求項１及び２の遊技機では、メイン可動演出部材が遊技機本体に回動可能に連結されると共に、サブ可動演出部材がメイン可動演出部材に回動可能に連結されている。そして、メイン可動演出部材が駆動装置から力を受けて第１位置から第２位置に移動すると、その過程で、サブ可動演出部材のガイド当接部が遊技機本体の待受ガイドに当接してサブ可動演出部材がＡ位置からＢ位置に回動する。このとき、サブ可動演出部材の回動中心がメイン可動演出部材と共に遊技機本体に対して移動しながら、サブ可動演出部材はメイン可動演出部材に対して回動する。このように、本発明では、１つの駆動装置によってメインとサブの２つの可動演出部材を互いに異なる軸回りに回動させて趣向性を向上させることができる。
【００２１】
なお、メイン可動演出部材を第２位置から第１位置に戻したときには、請求項１の遊技機では、付勢手段によってサブ可動演出部材がＡ位置からＢ位置に戻り、請求項２の遊技機では、サブ可動演出部材のガイド当接部と遊技機本体の復帰ガイドとが当接してサブ可動演出部材がＢ位置からＡ位置に復帰する。
【００２２】
また、待受ガイドとガイド当接部との配置によって、メイン可動演出部材とサブ可動演出部材の間で、回転方向を異ならせたり、回転の始動タイミング又は停止タイミングを異ならせることができる。
【００２３】
［請求項３の発明］
請求項３の遊技機では、メイン可動演出部材が第１位置、サブ可動演出部材がＡ位置に配置された状態で、それらメイン可動演出部材とサブ可動演出部材は前面カバーの後ろ側に隠れた状態になる。そして、メイン可動演出部材が第１位置から第２位置に回動する途中で前面カバーから出現し、サブ可動演出部材がメイン可動演出部材と共に前面カバーから出現すると共に、サブ可動演出部材の一部が出現してから待受ガイドとガイド当接部とが当接してサブ可動演出部材がＡ位置からＢ位置に回動するので、メイン可動演出部材とサブ可動演出部材との間で前面カバーからの出現の態様が異なり、趣向性を向上させることができる。
【００２４】
［請求項４及び５の発明］
請求項４の構成によれば、待受ガイドは前面カバーに一体形成されているので、それら待受ガイドと前面カバーとを別々に設けた場合に比べて部品点数の削減が図られる。また、請求項５の構成によれば、待受ガイドは、前面カバーのうちサブ可動演出部材が出現する側の縁部に沿って延びかつサブ可動演出部材側に突出しているので、前面カバーの縁部の補強を図ることができると共に、サブ可動演出部材のうちガイド当接部よりメイン可動演出部材の回動方向の前側を前面カバーから露出させた後で、ガイド当接部を待受ガイドに当接させてサブ可動演出部材を回動させることができる。即ち、メイン可動演出部材とサブ可動演出部材の間で回動動作の開始タイミングを明確にずらすことができる。
【００２５】
［請求項６の発明］
請求項６の遊技機では、メイン可動演出部材、サブ可動演出部材及び駆動装置をケースに収容してユニット化し、遊技機本体に容易に組み付けることができる。
【００２６】
［請求項７の発明］
請求項７の構成によれば、延長突部を透明にしたので、延長突部を目立たなくすることができ、サブ可動演出部材のうち延長突部及びガイド当接部以外の部分を際立たせることができる。
【００２７】
［請求項８の発明］
請求項８の構成によれば、待受ガイド及びガイド当接部をそれぞれ対にしてサブ可動演出部材の両側方に配置したので、待受ガイドとガイド当接部との当接が安定し、サブ可動演出部材の動作も安定する。
【００２８】
［請求項９の発明］
請求項９の構成によれば、メイン可動演出部材とサブ可動演出部材とを逆向きに回動させてそれらメイン可動演出部材とサブ可動演出部材による演出効果を高めることができる。
【００２９】
［請求項１０の発明］
請求項１０の構成によれば、メイン可動演出部材及びサブ可動演出部材は、サブ可動演出部材を蓋にしたライターを模した形状になっていので、メイン可動演出部材とサブ可動演出部材の回動によって、ライターを移動しながら蓋を開く動作の演出を行うことができる。
【００３０】
［請求項１１の発明］
請求項１１の構成によれば、メイン可動演出部材のうちサブ可動演出部材によって覆われていた部分を、サブ回動演出部材の回動に伴って発光させる演出を行うことができる。
【００３１】
［請求項１２及び１３の発明］
請求項１２及び１３の遊技機では、メイン可動演出部材が１自由度駆動装置から力を受けて第１位置から第２位置に移動すると、その過程で、サブ可動演出部材のガイド当接部が遊技機本体の待受ガイドに当接してサブ可動演出部材がＡ位置からＢ位置に移動する。ここで、本発明では、メイン可動演出部材が遊技機本体に１つの軸方向又は軸回りに移動可能に拘束されると共に、サブ可動演出部材がメイン可動演出部材の移動と異なる１つの軸方向又は軸回りに移動可能にメイン可動演出部材に拘束されているので、サブ可動演出部材とメイン可動演出部材とは異なる態様で移動することになる。即ち、本発明では、１つの移動駆動装置によってメインとサブの２つの可動演出部材を互いに異なる軸方向又は異なる軸回りに移動させて趣向性を向上させることができる。
【００３２】
なお、メイン可動演出部材を第２位置から第１位置に戻したときには、請求項１の遊技機では、付勢手段によってサブ可動演出部材がＡ位置からＢ位置に戻り、請求項２の遊技機では、サブ可動演出部材のガイド当接部と遊技機本体の復帰ガイドとが当接してサブ可動演出部材がＢ位置からＡ位置に復帰する。
【００３３】
［請求項１４の発明］
請求項１４の遊技機では、メイン可動演出部材が第１位置、サブ可動演出部材がＡ位置に配置された状態で、それらメイン可動演出部材とサブ可動演出部材は前面カバーの後ろ側に隠れた状態になる。そして、メイン可動演出部材が第１位置から第２位置に移動する途中で前面カバーから出現し、サブ可動演出部材がメイン可動演出部材と共に前面カバーから出現すると共に、サブ可動演出部材の一部が出現してから待受ガイドとガイド当接部とが当接してサブ可動演出部材がＡ位置からＢ位置に移動するので、メイン可動演出部材とサブ可動演出部材との間で前面カバーからの出現の態様が異なり、趣向性を向上させることができる。
【発明を実施するための最良の形態】
【００３４】
以下、本発明を適用したパチンコ遊技機１０に係る一実施形態を、図１〜図８に基づいて説明する。図１に示すように、本実施形態のパチンコ遊技機１０の遊技板１１には、ガイドレール１２で囲まれた略円形の遊技領域Ｒ１が形成されている。また、遊技板１１は前側を前面枠１０Ｚにて覆われ、その前面枠１０Ｚには、遊技領域Ｒ１に対応した略円形のガラス窓が設けられている。そして、そのガラス窓を通して遊技領域Ｒ１が前方に臨んでいる。前面枠１０Ｚのうちガラス窓の上方には左右に１対のスピーカ２５，２５が設けられ、ガラス窓より下方には、上皿２７Ａ及び下皿２７Ｂが上下２段にして設けられている。そして、下皿２７Ｂの右端部に備えた操作ノブ２８を回動操作すると、上皿２７Ａに収容された遊技球が遊技領域Ｒ１に向けて弾き出される。なお、上皿２７Ａに備えたボタン２９を押すと上皿２７Ａに収容されている遊技球が下皿２７Ｂへと移動する。
【００３５】
遊技領域Ｒ１の中央には、表示窓３４Ｗが貫通形成され、その表示窓３４Ｗの奥部には液晶表示画面３４が備えられている。また、表示窓３４Ｗの縁部には、遊技板１１の前面側から装飾枠２３が装着されている。装飾枠２３は、遊技板１１の前面から前方に突出しており、これにより遊技領域Ｒ１を流下する遊技球が液晶表示画面３４の前方を通過しないように規制している。また、遊技領域Ｒ１のうち装飾枠２３の外側領域全体に亘って、図示しない複数の障害釘が起立している。
【００３６】
遊技領域Ｒ１のうち装飾枠２３の下方における左右方向の中央部には、第１始動入賞口１４、第１大入賞口１５及びアウト口１６が上から順番に並べて設けられ、左右の両側部には、ガイドレール１２に沿って一般入賞口２０，２１及びサイドランプ２２がそれぞれ設けられている。また、第１始動入賞口１４、第１大入賞口１５、一般入賞口２０，２１及びアウト口１６に入球した遊技球は、遊技板１１の裏側に取り込まれる。そして、第１始動入賞口１４、第１大入賞口１５及び一般入賞口２０，２１の奥部に備えた図示しない検出スイッチによって、遊技球の入球が検出される。
【００３７】
第１大入賞口１５は、横長矩形に形成されて、常には、可動扉１５Ｔにて閉塞されている。そして、所定の条件が成立したときに可動扉１５Ｔが下縁部を中心に回動して斜め前側に開き、その可動扉１５Ｔを案内にして第１大入賞口１５に多くの遊技球が入賞可能となる。また、第１大入賞口１５の内部には、継続入賞口（図示せず）と計数入賞口（図示せず）とが設けられている。可動扉１５Ｔが開いたときには、継続入賞口は開放しており、１つの遊技球が継続入賞口に入賞すると、継続入賞口は閉鎖される。一方、計数入賞口は常時開放している。そして、第１大入賞口１５に遊技球が入賞すると、その遊技球が継続入賞口及び計数入賞口の何れかに入賞し、継続入賞口及び計数入賞口の何れかに遊技球が１つ入賞する度に、例えば、１５個の遊技球が上皿２７Ａに払い出される。
【００３８】
第１始動入賞口１４及び一般入賞口２０，２１は、所謂、ポケット構造をなし、遊技球が丁度１つ入球可能な大きさで上方に開口している。また、第１始動入賞口１４及び一般入賞口２０，２１に遊技球が１つ入球する度に、例えば、４個の賞球が上皿２７Ａに払い出される。
【００３９】
装飾枠２３の左側方（図１に向かって左側。以下同様。）には下寄り位置に風車１９が設けられ、その風車１９の下方には、樹脂ガイド３５が設けられている。樹脂ガイド３５の上面は、第１始動入賞口１４側に緩やかに下るように傾斜している。また、樹脂ガイド３５の下方には、複数（例えば、１０個）のＬＥＤを有した保留数表示部３６と７セグメントＬＥＤで構成された普通図柄表示部３６Ｆが設けられている。一方、装飾枠２３の右側方には上寄り位置に始動ゲート１８が設けられ、下寄り位置に第２始動入賞口４０が設けられている。
【００４０】
始動ゲート１８は、遊技球が通過可能な門形構造をなし、通過した遊技球は始動ゲート１８に内蔵されたゲートスイッチ（図示せず）によって検出される。
【００４１】
第２始動入賞口４０は、遊技球が通過可能なゲート部（図示せず）と、そのゲート部より遊技球１つ分の下方に配置され、遊技板１１の前面に開口した入球口（図示せず）と、その入球口を開閉する可動扉（図示せず）と、入球口の下面に配置されて前後方向に進退する進退舌片（図示せず）と備えてなる。また、通常は、進退舌片は、遊技板１１の前面より後方に配置されると共に入球口が可動扉によって閉塞されている。そして、所定条件が成立したときに、可動扉が開くと共に進退舌片が遊技板１１の前面より前方に突出し、ゲート部を通過した遊技球を入球口に取り込むようになっている。
【００４２】
装飾枠２３の左辺部分における上下方向の中間部から下端寄り位置に亘る範囲には、ワープ樋３９が設けられている。ワープ樋３９の上端は、装飾枠２３の外側面に開口した入球口３９Ａになっている。また、ワープ樋３９の中間部分は、表示窓３４Ｗの奥側に向かって徐々に下方に延び、ワープ樋３９の下端は、装飾枠２３の奥部内側面に開放している。そして、入球口３９Ａに入球した遊技球は、装飾枠２３を通過して次述するステージ２３Ｓの後段部上面に排出される。
【００４３】
装飾枠２３の下辺部分の内側上面には、遊技球が転動可能なステージ２３Ｓが設けられている。ステージ２３Ｓは、装飾枠２３の奥行き方向で２段になっており、前段部が後段部より低くなっている。また、ステージ２３Ｓの前段部における左右方向の中央には誘導溝２３Ｙが陥没形成され、ここに進入した遊技球は、第１始動入賞口１４の真上で装飾枠２３外に排出される。
【００４４】
装飾枠２３の右辺部分における上下方向の中間部から下端寄り位置に亘る範囲には、入賞樋３７が設けられている。入賞樋３７の上端は、装飾枠２３の外側面に開口した第２大入賞口３７Ａになっており、その第２大入賞口３７Ａは、通常は、可動翼３７Ｔによって閉塞されている。可動翼３７Ｔは、下端部に回動軸を有し、第２大入賞口３７Ａを閉塞した起立閉鎖位置と、第２大入賞口３７Ａを開放しかつ第２大入賞口３７Ａに遊技球を案内する傾斜誘導位置との間で回動する。
【００４５】
入賞樋３７の中間部分は、表示窓３４Ｗの奥側に向かって徐々に下方に延びている。そして、ステージ２３Ｓにおける右側端部に設けられた透視装置３８に連絡されている。透視装置３８は、透明な樹脂ケース内に継続入賞口（図示せず）と計数入賞口（図示せず）を備えた構造になっている。詳細には、樹脂ケースは、ステージ２３Ｓの前段部と後段部とを合わせた全体幅と同じ幅をなしてステージ２３Ｓより上方に突出している。また、ケースの内部は、ステージ２３Ｓの前段部に相当する部分のみが遊技球の通過領域になっており、その遊技球の通過領域の下面に継続入賞口と計数入賞口を横並びにして備えている。また、継続入賞口は透視装置３８内の右側、計数入賞口は透視装置３８内の左側に配置され、さらに、透視装置３８内の右側部には、継続入賞口に隣接して内部側壁（図示せず）が備えられている。また、その内部側壁に形成された側面開口からは規制片（図示せず）が水平に出没可能になっている。そして、可動翼３７Ｔが開いたときには、内部側壁の内部に退避して継続入賞口及び計数入賞口への遊技球の入賞が可能になっており、遊技球が１つ継続入賞口に入賞すると、規制片が出現して継続入賞口への入賞が禁止される。一方、計数入賞口は常時開放されている。そして、入賞樋３７に遊技球が入賞するたびに、その遊技球が継続入賞口及び計数入賞口の何れかに入賞し、継続入賞口及び計数入賞口の何れかに遊技球が１つ入賞する度に、例えば、１５個の遊技球が上皿２７Ａに払い出される。
【００４６】
上記した第１始動入賞口１４、始動ゲート１８等の所定の部位に遊技球が入球すると以下の所定の抽選が行われ、当たりになると遊技者にとって有利な特典が付与される。
【００４７】
具体的には、第１始動入賞口１４に遊技球の入賞する度に、「第１の大当たり遊技」を実行するか否かの当否判定が行われ、その当否判定の結果が、液晶表示画面３４に表示される。液晶表示画面３４には、通常、３つの左、中、右の特別図柄１３Ａ，１３Ｂ，１３Ｃが横並びに表示されている。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごと、所定の種類のものが停止表示されている。そして、第１始動入賞口１４に遊技球が入賞して当否判定が行われたときに、これら３つの特別図柄１３Ａ，１３Ｂ，１３Ｃが、上下方向にスクロール表示され、所定時間後に、例えば、左、右、中の順で各特別図柄１３Ａ，１３Ｂ，１３Ｃが停止表示される。このとき、遊技の当否判定の結果が「大当たり」であれば、例えば全ての特別図柄１３Ａ，１３Ｂ，１３Ｃが同じ図柄、即ち、ぞろ目になる。
【００４８】
また、左右の特別図柄１３Ａ，１３Ｃが同じ図柄で停止表示し、中特別図柄１３Ｂのみが変動表示したリーチ状態となると、液晶表示画面３４には所定のリーチ演出画像（例えばキャラクタ画像）が表示される。なお、前面枠１０Ｚの左下隅に備えた遊技ボタン２７Ｃを押圧すると、液晶表示画面３４で変動表示されている特別図柄１３Ａ，１３Ｂ，１３Ｃ以外の画像（例えば、キャラクタ画像）を、遊技者の任意のタイミングで停止させることができる。
【００４９】
液晶表示画面３４において特別図柄１３Ａ，１３Ｂ，１３Ｃが変動表示又は「大当たり状態」の最中に第１始動入賞口１４に入賞した場合、その入賞球は保留球として最大で５個まで記憶され、その保留記憶数（保留球数）が、前記した保留数表示部３６の上側半分のＬＥＤを使用して表示される。そして、特別図柄１３Ａ，１３Ｂ，１３Ｃが停止表示又は「大当たり状態」が終了すると、その保留記憶数が１つ減らされて再び、特別図柄１３Ａ，１３Ｂ，１３Ｃが変動表示してから停止表示されて、遊技の当否判定結果が表示される。
【００５０】
「第１の大当たり遊技」の当否判定結果が大当たりになると、可動扉１５Ｔが開放される。ここで、可動扉１５Ｔが開放してから閉じるまでの間を「ラウンド」と称すると、１つのラウンドは、可動扉１５Ｔの開放時間が３０秒に達したか、又は、第１大入賞口１５に遊技球が１０個入賞したかの何れかの条件が先に満たされた場合に終了する。また、第１大入賞口１５内の継続入賞口に遊技球が入賞した場合に、ラウンド終了後に、連続して次のラウンドが実行される。また、「大当たり状態」は、最大で、例えば１５ラウンドまで継続される。
【００５１】
始動ゲート１８に遊技球が通過する度に、第２始動入賞口４０の進退舌片を作動させるか否かの予備当否判定が行われ、その当否判定の結果が、普通図柄表示部３６Ｆに表示される。具体的には、始動ゲート１８に遊技球が通過すると、普通図柄表示部３６Ｆに、「０」〜「９」までの数字からなる数字図柄が所定期間に亘って変動表示された後、所定の数字図柄が停止表示される。このとき停止表示された数字が奇数の場合には、「当たり」となり、偶数の場合には「外れ」になる。そして、当たりになると、所定期間に亘って第２始動入賞口４０の可動扉が開きかつ進退舌片が前進して、第２始動入賞口４０に遊技球が入賞可能になる。
【００５２】
第２始動入賞口４０に遊技球が入賞する度に、「第２の大当たり遊技」を実行するか否かの当否判定が行われ、その当否判定の結果が、液晶表示画面３４に表示される。液晶表示画面３４における当否判定の表示方法は、上記した「第１の大当たり遊技」の当否判定結果の表示方法と同様であり、特別図柄１３Ａ，１３Ｂ，１３Ｃに対する装飾用の色彩、模様等や、液晶表示画面３４における特別図柄１３Ａ，１３Ｂ，１３Ｃの背景画等は、「第１の大当たり遊技」の当否判定結果の場合と異なっている。
【００５３】
「第２の大当たり遊技」の当否判定結果が大当たりになると、第１大入賞口１５における可動扉１５Ｔの開放と同様に、第２大入賞口３７Ａにおける可動翼３７Ｔが開放される。ここでも可動翼３７Ｔが開放してから閉じるまでの間を「ラウンド」と称すると、１つのラウンドは、可動翼３７Ｔの開放時間が３０秒に達したか、又は、第２大入賞口３７Ａに遊技球が１０個入賞したかの何れかの条件が先に満たされた場合に終了する。また、第２大入賞口３７Ａ内の継続入賞口に遊技球の入賞した場合に、ラウンド終了後に、連続して次のラウンドが実行される。また、「大当たり状態」は、最大で、例えば１５ラウンドまで継続される。
【００５４】
液晶表示画面３４において特別図柄１３Ａ，１３Ｂ，１３Ｃが変動表示又は「大当たり状態」の最中に第２始動入賞口４０に入賞した場合、その入賞球は保留球として最大で５個まで記憶され、その保留記憶数（保留球数）が、前記した保留数表示部３６の下側半分のＬＥＤを使用して表示される。そして、特別図柄１３Ａ，１３Ｂ，１３Ｃが停止表示又は「大当たり状態」が終了すると、その保留記憶数が１つ減らされて再び、特別図柄１３Ａ，１３Ｂ，１３Ｃが変動表示してから停止表示されて、遊技の当否判定結果が表示される。
【００５５】
さて、本実施形態のパチンコ遊技機１０では、例えば、当否判定結果を表示する際の演出や大当たり遊技時の演出を遊技者に楽しんでもらうために、遊技板１１の裏面側における表示窓３４Ｗの一側縁部（左側側縁部）に、図３〜図８に示した可動役物ユニット５０が備えられている。詳細には以下の通りである。
【００５６】
遊技板１１の裏面には、表示窓３４Ｗの縁部に図示しない液晶支持枠がビス止めされている。そして、液晶支持枠の後面に液晶モジュール（詳細には、ＴＦＴ−ＬＣＤモジュール）が固定され、その液晶モジュールの前面が液晶表示画面３４になっている。可動役物ユニット５０は、図３に示すように、ケース４７の内部に回路基板６０とメイン可動演出部材５１及びサブ可動演出部材５２等の可動部品群を収容してなる。そして、ケース４７が液晶支持枠の一側辺に固定されて、ケース４７の一側面が液晶支持枠の内側、即ち、表示窓３４Ｗ（図２参照）の内側に臨んでいる。
【００５７】
ケース４７は、上下方向（図３及び図５に示した３次元座標軸のＹ軸方向）に長くなっており、前後方向（図３及び図５に示した３次元座標軸のＺ軸方向）で扁平になっている。また、ケース４７は、前方から見ると、左右の両側面に凹凸を有し、上端寄り位置から上方部分における左右方向（図３及び図５に示した３次元座標軸のＸ軸方向）の幅が、段付き状に狭くなっている。また、ケース４７のうち表示窓３４Ｗ（図２参照）の内側に臨んでいる一側面には、上端寄り位置の段差部から下端寄り位置に亘って出没開口４６Ｋが形成されている。
【００５８】
なお、遊技者は、遊技板１１に対向した状態で操作ノブ２８を操作するので、本実施形態では、本発明に係る「遊技者との対向方向」は、パチンコ遊技機１０の前後方向（図３及び図５のＺ軸方向）に相当する。
【００５９】
図５に示すように、出没開口４６Ｋは上下方向に長く、幅は上下方向で均一になっている。また、ケース４７を前方から見ると、出没開口４６Ｋの開口縁は上下方向の上側半部は三角形になって側方に張り出している。具体的には、図７（Ａ）に示すように、三角形の張り出し部分のうち上端から頂点までは、鉛直方向に対して３〜１０度の比較的小さい振れ角で外側に傾斜して張り出した第１傾斜部になっており、頂点から下端までは、鉛直方向に対して３０〜６０度の比較的大きな振れ角で内側に傾斜した第２傾斜部になっている。また、出没開口４６Ｋの開口縁は、第２傾斜部の下端から鉛直方向にまっすぐ延び、下端寄り位置から下端までは、僅かに傾斜して僅かに側方に張り出している。
【００６０】
図５に示すように、出没開口４６Ｋの幅方向の両側には、ケース４７の側壁４７Ｓの一部が残されて本発明に係る待受ガイド４５Ｇ，４６Ｇになっている。その一方の待受ガイド４５Ｇは、ケース４７の前面壁４７Ｆから出没開口４６Ｋに向かって張り出し、他方の待受ガイド４６Ｇは、ケース４７の後面壁４７Ｒから出没開口４６Ｋの内側に向かって張り出している。また、各待受ガイド４５Ｇ，４６Ｇには、ケース本体４６の開口縁における三角形の張り出し部分に対応して、第１傾斜部４５Ｖ，４６Ｖと第２傾斜部４５Ｗ，４６Ｗとが備えられている。
【００６１】
図３に示すように、ケース４７は、前後方向でケース本体４６と前面カバー４５（本発明の「１対のケース構成体」に相当する）に分割可能になっている。その分割面４７Ｂは、図５に示すように、ケース４７のうち出没開口４６Ｋの幅方向における前端寄り位置に位置している。そして、ケース本体４６と前面カバー４５とは複数の螺子によって合体した状態に固定されている。
【００６２】
図７及び図８に示すように、メイン可動演出部材５１は、縦長の略楕円形の装飾部５１Ｈの下端部から支持レバー５１Ｂを下方に延ばして備えている。装飾部５１Ｈは、液晶表示画面３４に表示される演出に対応したキャラクターや、表示されるキャラクターの１つなどで構成されたライターの本体部を模した形状になっている。また、装飾部５１Ｈの前面上端部寄り位置には、透光部材で構成された先端半球状の発光突部５５が備えられ、装飾部５１Ｈの先端面からは透光部材で構成された発光突片５６が突出している。そして、装飾部５１Ｈの内部に備えた図示しないＬＥＤを点灯させることで、発光突部５５及び発光突片５６が点灯する。
【００６３】
図３に示すように、支持レバー５１Ｂの下端部には円筒ベース部５１Ｅが備えられ、その円筒ベース部５１Ｅの内側には、ケース４７の後面壁４７Ｒから突出した図示しない支柱が回転可能に嵌合している。また、円筒ベース部５１Ｅの前端面には回転円板６２が固定されている。その回転円板６２は、外縁部の一部にギヤ部６２Ｇを備えると共に、ギヤ部６２Ｇから離れた位置から側方に旋回片６２Ａを張り出して備えている。また、旋回片６２Ａの先端部からは、後方に向けて検知片６２Ｔが突出している。さらに、回転円板６２の中心からは前方に向けて回転軸６２Ｐが突出している。そして、ケース４７の前面壁４７Ｆの一部を内側から外側に膨出させてなる軸支筒部４５Ｍ内に、回転軸６２Ｐが回転可能に嵌合されている。
【００６４】
支持レバー５１Ｂのうち装飾部５１Ｈ側の端部からは前方に向けてストッパ片５１Ｔが突出している。そして、メイン可動演出部材５１が遊技板１１の前側から見て時計回り方向に回動すると、ストッパ片５１Ｔが前面カバー４５側の待受ガイド４５Ｇにおける下端寄り位置に突き合わされ、それ以上メイン可動演出部材５１が時計回り方向に回動することを規制する。一方、メイン可動演出部材５１が反時計回り方向に回動すると、ストッパ片５１Ｔが前面カバー４５の内面に備えた図示しない突壁に突き合わされ、それ以上メイン可動演出部材５１が反時計回り方向に回動することを規制する。
【００６５】
ここで、本実施形態では、メイン可動演出部材５１の回動可能範囲において、遊技板１１の前側から見て反時計回り方向の限界位置が本発明に係る「第１位置」に相当し、メイン可動演出部材５１は第１位置に配置されると、図５及び図７（Ａ）に示すように、鉛直方向に起立した姿勢になってケース４７内に全体が収容された状態になる。また、メイン可動演出部材５１の回動可能範囲において時計回り方向の限界位置が本発明に係る「第２位置」に相当し、メイン可動演出部材５１は第２位置に配置されると、図６及び図８（Ｅ）に示すように、鉛直方向に対して傾斜して出没開口４６Ｋから装飾部５１Ｈが外側に出現した状態になる。
【００６６】
図３に示すように、ケース本体４６には、回路基板６０が取り付けられている。回路基板６０は、ケース本体４６のうち出没開口４６Ｋと反対側の側壁４７Ｓに沿って上下方向に延びた形状になっている。そして、回路基板６０における下端寄り位置には、検出素子６１が実装されている。検出素子６１は、１対の対向壁をスリットを介して対向配置した構造をなし、スリット内に障害物が存在するか否かを検出する。そして、メイン可動演出部材５１が第１位置に配置されたときに、回転円板６２の検知片６２Ｔが検出素子６１のスリット内に位置して検出素子６１から検出信号が出力される。これにより、回路基板６０にて、メイン可動演出部材５１が第１位置に配置されていることを検出することができる。
【００６７】
ケース４７における下端部には、本発明の「駆動装置」としての減速機付きモータ６５が設けられている。減速機付きモータ６５は、ケース４７の後面壁４７Ｒに固定された図示しないステッピングモータの前端部に減速機を固定してなる。また、減速機の出力軸は前方に突出しており、その出力軸に出力ギヤ６４が固定されている。なお、出力ギヤ６４の中心からは前方に位置決め軸６４Ｐが突出しており、その位置決め軸６４Ｐが、前面壁４７Ｆに貫通形成された支持孔４５Ｎに軸支されている。出力ギヤ６４は、アイドルギヤ６３を介して回転円板６２のギヤ部６２Ｇに連結されている。アイドルギヤ６３の中心には中心シャフト６３Ｐが貫通しており、その中心シャフト６３Ｐがケース４７の前面壁４７Ｆ及び後面壁４７Ｒに備えた図示しない凹部に回転可能に軸支されている。これらにより減速機付きモータ６５にてメイン可動演出部材５１を回転駆動することができる。
【００６８】
図８（Ｄ）及び図８（Ｅ）に示すように、サブ可動演出部材５２は、メイン可動演出部材５１の上端部に回動可能に設けられている。詳細には、サブ可動演出部材５２の回動軸５２Ｊは、図７（Ａ）に示すように、メイン可動演出部材５１及びサブ可動演出部材５２が共にケース４７に収容された状態で、装飾部５１Ｈの上端部のうち左右方向において出没開口４６Ｋから離れた側の端部に配置されている。また、サブ可動演出部材５２は、液晶表示画面３４に表示される演出に対応したキャラクターや、表示されるキャラクターの１つなどで構成されたライターの蓋部を模した形状になっている。そして、サブ可動演出部材５２は、図７（Ａ）〜図７（Ｃ）に示すように、メイン可動演出部材５１を基準としたメイン可動演出部材５１の装飾部５１Ｈにおける上端面を覆ったＡ位置と、図８（Ｅ）に示すように、メイン可動演出部材５１を基準としたメイン可動演出部材５１の装飾部５１Ｈにおける上端面に対して略９０度開いたＢ位置との間を回動することができる。なお、サブ可動演出部材５２の下端面からは、Ａ位置で発光突片５６の前側に重ねて配置されるカバー突片５２Ｗが突出している。
【００６９】
メイン可動演出部材５１とサブ可動演出部材５２との間には、サブ可動演出部材５２をＡ位置に向けて付勢する（メイン可動演出部材５１に対してサブ可動演出部材５２を開放させない状態とする）図示しないトーションコイルばね（本発明の「付勢手段」に相当する）が回動軸５２Ｊに備えられている。そして、メイン可動演出部材５１が第１位置に配置された状態では、サブ可動演出部材５２はトーションコイルばねの付勢力によりＡ位置に保持される。
【００７０】
図７（Ａ）に示すように、メイン可動演出部材５１及びサブ可動演出部材５２が共にケース４７に収容された状態で、サブ可動演出部材５２のうち回動軸５２Ｊの上方位置からは出没開口４６Ｋから離れる側の斜め上方に向かって延長突部５３が突出している。その延長突部５３は、透明部材で構成され角柱状になっており、図３に示すように、延長突部５３の先端部からは、ケース４７の前面壁４７Ｆ及と後面壁４７Ｒとに向かって１対のガイド当接部５４，５４が突出している。このように、本実施形態では、延長突部５３を透明にしたので目立たなくすることができ、サブ可動演出部材５２のうち延長突部５３及び１対のガイド当接部５４，５４以外の部分を際立たせることができる。
【００７１】
また、１対のガイド当接部５４，５４は、円柱状になっている。そして、メイン可動演出部材５１が第１位置から第２位置に移動する途中で、図７（Ｃ）に示すように、ガイド当接部５４，５４が、ケース４７の待受ガイド４５Ｇ，４６Ｇに当接し、図７（Ｃ）から図８（Ｄ）及び図８（Ｅ）の変化に示すように、メイン可動演出部材５１を更に第２位置側に回動すると、ガイド当接部５４，５４が待受ガイド４５Ｇ，４６Ｇに沿って摺接移動し、これにより、サブ可動演出部材５２の移動方向が規制されメイン可動演出部材５１に対してサブ可動演出部材５２の移動方向がメイン可動演出部材５１の移動方向と異なる方向のＡ位置からＢ位置へと回動する。
【００７２】
このように、本実施形態では、サブ可動演出部材５２の（前後方向の）両側で待受ガイド４５Ｇ，４６Ｇ及びガイド当接部５４，５４をそれぞれ対にした構成としているので、待受ガイド４５Ｇ，４６Ｇとガイド当接部５４，５４との当接が安定し、サブ可動演出部材５２の動作も安定する。また、待受ガイド４５Ｇ、４６Ｇはケース４７に一体形成されているので、それら待受ガイド４５Ｇ，４６Ｇを別途設けた場合に比べて部品点数の削減が図られると共にケース４７の補強にもなる。
【００７３】
図４に示すように、ケース４７の後面壁４７Ｒには、円弧状のガイド溝４６Ｒが形成されている。そして、図７（Ａ）及び図７（Ｂ）に示すように、サブ可動演出部材５２がＡ位置に配置された状態からメイン可動演出部材５１と共に回動する際に、一方のガイド当接部５４がガイド溝４６Ｒ内を移動するようになっている。
【００７４】
可動役物ユニット５０は、上述の通り図示しない液晶支持枠に固定され、その液晶表示枠が遊技板１１の裏面側に固定されている。このとき、遊技板１１に対して可動役物ユニット５０が位置決めされるように、ケース４７の前面には、図４に示すように、位置決め用突部４５Ｌが突出形成されている。そして、その位置決め用突部４５Ｌが遊技板１１の裏面に形成された図示しない凹部に嵌合され、固定される。
【００７５】
なお、パチンコ遊技機１０全体のうちパチンコ遊技機１０の設置場所に対して遊技の実行中は動かない部分全体が本発明に係る「遊技機本体」に相当し、本実施形態においては、例えば、液晶表示枠、遊技板１１、前面枠１０Ｚ、装飾枠２３等が「遊技機本体」に含まれる。
【００７６】
本実施形態のパチンコ遊技機１０の構成に関する説明は以上である。次に、本実施形態のパチンコ遊技機１０の作用効果について説明する。図１に示したパチンコ遊技機１０の操作ノブ２８を操作すると、遊技領域Ｒ１の上端部に遊技球が次々と弾き出されて遊技領域Ｒ１を流下する。また、メイン可動演出部材５１及びサブ可動演出部材５２は、通常、ケース４７の内部に収容され（第１位置）、遊技板１１の表示窓３４Ｗにおける一側縁部の裏側に隠れている。このため、図１に示すように、通常、遊技者からはメイン可動演出部材５１及びサブ可動演出部材５２は見えなくなっている。
【００７７】
遊技領域Ｒ１を流下する遊技球のうちのいくつかは、第１又は第２の始動入賞口１４，４０に入賞すると、所定数の遊技球（賞球）が上皿２７Ａに払い出されると共に当否判定が行われその当否判定結果が、液晶表示画面３４に表示される。即ち、液晶表示画面３４において、３つの特別図柄１３Ａ，１３Ｂ，１３Ｃが、上下方向にスクロール表示された後、左、右、中の順番で特別図柄１３Ａ，１３Ｂ，１３Ｃが停止表示され、それら特別図柄１３Ａ，１３Ｂ，１３Ｃが同一であるか否かによって当否判定結果が報知される。
【００７８】
ここで、当否判定結果が当たりになる場合には、左右の特別図柄１３Ａ，１３Ｃが同じ図柄（例えば、「７」）で停止表示し、中特別図柄１３Ｂのみが変動表示したリーチ状態となる。また、暫くすると、図２に示すように、液晶表示画面３４の表示画面が変化し、左右の特別図柄１３Ａ，１３Ｃが液晶表示画面３４の例えば左右の下側角部に小さく表示された状態になる一方、中特別図柄１３Ｂが液晶表示画面３４の中央に大きく表示されて、その中特別図柄１３Ｂの図柄がゆっくり切り替わっていく。そして、最後に中特別図柄１３Ｂが停止表示される直前に、回路基板６０が減速機付きモータ６５を作動してメイン可動演出部材５１を第１位置から第２位置に移動する。そして、第１位置から第２位置に移動する過程で通常時に液晶表示画面３４の前面側に無かったメイン可動演出部材５１及びサブ可動演出部材５２が液晶表示画面３４の前面側に出現し、液晶表示画面３４の表示に合わせた演出を行う。
【００７９】
このとき、メイン可動演出部材５１が第１位置から第２位置に移動する途中までは、図７（Ａ）〜図７（Ｃ）に示すように、トーションコイルばね付勢力によってサブ可動演出部材５２はＡ位置に保持された状態、即ち、ライターの蓋を模したサブ可動演出部材５２がライター本体を模したメイン可動演出部材５１の上端部を覆った状態で、サブ可動演出部材５２がメイン可動演出部材５１と共に出没開口４６Ｋを介してケース４７の外側に移動する。
【００８０】
そして、ガイド当接部５４，５４を除くサブ可動演出部材５２全体が出没開口４６Ｋから外側に出現すると、図７（Ｃ）に示すように、ガイド当接部５４，５４が待受ガイド４５Ｇ，４６Ｇの第１傾斜部４５Ｖ，４６Ｖに当接する。そこからメイン可動演出部材５１がさらに第２位置側に回動すると、図８（Ｄ）に示すように、ガイド当接部５４，５４が待受ガイド４５Ｇ，４６Ｇの第１傾斜部４５Ｖ，４６Ｖに摺接することで下方に案内され、これによりサブ可動演出部材５２がメイン可動演出部材５１に対してＡ位置側からＢ位置側に回動する。即ち、サブ可動演出部材５２は、メイン可動演出部材５１と共に遊技機本体（ケース４７を含む）に対して移動しながらメイン可動演出部材５１に対して回動する。これにより、ライター全体を移動しながらライターの蓋を開けるというダイナミックな動きの演出を行うことができる。
【００８１】
そして、メイン可動演出部材５１が第２位置に至ると、図８（Ｅ）に示すように、ガイド当接部５４が待受ガイド４５Ｇ，４６Ｇにおける第１傾斜部４５Ｖと第２傾斜部４５Ｗとの角部、及び、第１傾斜部４６Ｖと第２傾斜部４６Ｗとの角部に位置してそれ以上摺接移動できなくなり、サブ可動演出部材５２がＢ位置に位置決めされる。即ち、ライターの蓋が完全に開いた状態になる。この状態でメイン可動演出部材５１に内蔵のＬＥＤが点灯して、発光突部５５と発光突片５６が発光すると共に、図２に示すように、液晶表示画面３４にはメイン可動演出部材５１の前端部から炎１３Ｚが立った状態を表示され、その炎１３Ｚの中で中特別図柄１３Ｂが燃えるような演出で変動表示される。そして、このときに表示された中特別図柄１３Ｂの図柄が左右の特別図柄１３Ａ，１３Ｃと一致していれば、当否判定結果は当たり、不一致であれば当否判定結果は外れになる。
【００８２】
当否判定結果の報知が終了すると、減速機付きモータ６５が逆向きに作動し、メイン可動演出部材５１を第２位置から第１位置に戻す。すると、図示しないトーションコイルばねの付勢力によりガイド当接部５４，５４は待受ガイド４５Ｇ，４６Ｇに押し付けられて摺接移動し、サブ可動演出部材５２は、メイン可動演出部材５１が第１位置から第２位置に回動する際と逆向きに動作してメイン可動演出部材５１の前端部を覆った状態になり、メイン可動演出部材５１と共に表示窓３４Ｗの一側縁部に裏側に退避する。
【００８３】
このように、本実施形態のパチンコ遊技機１０では、１つの減速機付きモータ６５によってメインとサブの２つの可動演出部材５１，５２を、互いに異なる回転軸回りに、異なる回転方向、異なる始動タイミングで移動させて趣向性を向上させることができる。また、サブ可動演出部材５２はメイン可動演出部材５１と共に移動しながら表示窓３４Ｗの一側縁部から出現し、その移動の途中でサブ可動演出部材５２がメイン可動演出部材５１とは異なる方向に移動するので、それらメイン可動演出部材５１とサブ可動演出部材５２とは、前面カバー４５からの出現の態様も異なっており、この点においても趣向性が向上する。しかも、本実施形態では、メイン可動演出部材５１、サブ可動演出部材５２及び減速機付きモータ６５をケース４７に収容してユニット化したので遊技板１１への組み付けも容易になる。
【００８４】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００８５】
（１）前記実施形態では、パチンコ遊技機１０に本発明を適用していたが、遊技機であれば、コイン遊技機やスロットマシン、アレンジボール等に備えてもよい。
【００８６】
（２）前記実施形態では、サブ可動演出部材５２をメイン可動演出部材５１を基準としたＡ位置に復帰させるために、本発明の「付勢手段」として図示しないトーションコイルばねを備えていたが、引っ張りコイルばねであってもよいし、錘などの「重力」を付勢手段として利用してもよい。
【００８７】
（３）また、サブ可動演出部材５２をメイン可動演出部材５１を基準としたＡ位置に復帰させるために、本発明の「付勢手段」ではなく、図９に示すように、サブ可動演出部材に備えたガイド当接部５４が当接して、そのサブ可動演出部材をＡ位置とＢ位置の間を回動させる復帰ガイド４６Ｆをケース４７に設けてもよい。
【００８８】
（４）前記実施形態のメイン可動演出部材５１は、ケース４７に対して回動可能に支持され、サブ可動演出部材５２がメイン可動演出部材５１に回動可能に支持されていたが、例えば、図１０に示すように、回転円板６２をラック６６に換えて、メイン可動演出部材５１を遊技機本体に１つの軸方向に直動可能に支持し、そのメイン可動演出部材５１にサブ可動演出部材５２を回動可能に軸支した構成のものや、メイン可動演出部材５１を遊技機本体に１つの軸方向に直動可能に支持し、メイン可動演出部材５１にそのメイン可動演出部材５１の移動と異なる１つの軸方向にサブ可動演出部材５２を直動可能に支持した構成のものや、さらには、メイン可動演出部材５１を遊技機本体に回動可能に支持し、メイン可動演出部材５１に１つの軸方向に直動可能にサブ可動演出部材５２を支持した構成のものに、本発明に係る「ガイド当接部」、「待受ガイド」等を設けて本発明を適用してもよい。
【図面の簡単な説明】
【００８９】
【図１】本発明の一実施形態に係るパチンコ遊技機の正面図
【図２】遊技板の正面図
【図３】メイン可動演出部材が第１位置、サブ可動演出部材がＡ位置に配置された可動役物ユニットの分解斜視図
【図４】メイン可動演出部材が第２位置、サブ可動演出部材がＢ位置に配置された可動役物ユニットの分解斜視図
【図５】メイン可動演出部材が第１位置、サブ可動演出部材がＡ位置に配置された可動役物ユニットの斜視図
【図６】メイン可動演出部材が第２位置、サブ可動演出部材がＢ位置に配置された可動役物ユニットの斜視図
【図７】可動役物ユニットの内部を示した正面図
【図８】可動役物ユニットの内部を示した正面図
【図９】本発明の変形例を示した可動役物ユニットの内部を示した正面図
【図１０】本発明の変形例を示した可動役物ユニットの内部を示した正面図
【符号の説明】
【００９０】
１０    パチンコ遊技機
４５    前面カバー（ケース構成体）
４５Ｇ，４６Ｇ    待受ガイド
４６    ケース本体（ケース構成体）
４６Ｇ    待受ガイド
４６Ｋ    出没開口
４７    ケース
５１    メイン可動演出部材
５２    サブ可動演出部材
５３    延長突部
５４    ガイド当接部
５６    発光突片（発光手段）
６５    減速機付きモータ（駆動装置）
【図１】
2010075617.tif 000003
【図２】
2010075617.tif 000004
【図３】
2010075617.tif 000005
【図４】
2010075617.tif 000006
【図５】
2010075617.tif 000007
【図６】
2010075617.tif 000008
【図７】
2010075617.tif 000009
【図８】
2010075617.tif 000010
【図９】
2010075617.tif 000011
【図１０】
2010075617.tif 000012